(57)【要約】【課題】レンガ製であっても表面におけるクラックの発生または拡大を抑制することのできるブロックを提供する。【解決手段】ブロック本体１がレンガによって形成されているので、例えばヨーロッパ建築等に用いられるレンガ造りの外壁のように、レンガ独特の色調や質感によって格調高い外観を得ることができ、例えば居住用の建物の外壁として好ましいという利点がある。この場合、ブロック本体１の表面には、複数の縦溝４，４′及び横溝５，５′が格子状に設けられているので、ブロック本体１の表面にクラックＣが発生した場合でも、クラックＣの発生または拡大を縦溝４，４′及び横溝５，５′によって抑制することができ、クラックＣによって外壁の見栄えが損なわれることがないという利点がある。【選択図】図１
2014111895.tif 000002
【特許請求の範囲】
【請求項１】
ブロック本体がレンガによって形成されたブロックにおいて、
前記ブロック本体の表面に複数の溝を格子状に設けた
ことを特徴とするブロック。
【請求項２】
前記各溝のうち所定本数おきに配置される所定の溝を他の溝よりも深さ寸法が大きくなるように形成した
ことを特徴とする請求項１記載のブロック。
【請求項３】
前記ブロック本体を他のブロック本体と積み重ねて壁を形成可能な直方体状に形成し、
前記溝をブロック本体の表面のうち外壁面となる面に設けた
ことを特徴とする請求項１または２記載のブロック。
【請求項４】
前記ブロック本体に上下方向に貫通する孔を設けた
ことを特徴とする請求項３記載のブロック。
【発明の詳細な説明】
【技術分野】
【０００１】
本発明は、例えば建物の外壁や塀等の材料として用いられるブロックに関するものである。
【背景技術】
【０００２】
従来、建物の外壁やブロック塀は、多数のコンクリートブロックを積み重ねて構成されるものが一般的であるが、コンクリートブロックは色や外観が建物の外装には適していないため、居住用の建物等、装飾性を要する外壁に用いられることは殆どなかった。これに対し、例えばヨーロッパ建築等に多く用いられるレンガ造りの外壁は、レンガ独特の色調や質感によって格調高い外観を形成しており、装飾性を要する外壁として好まれている。
【０００３】
そこで、コンクリートブロックと同様の形状からなるレンガ製のブロックを積み重ねることにより、建物の外壁や塀等を構成するようにしたものが知られている（例えば、特許文献１参照）。
【先行技術文献】
【特許文献】
【０００４】
【特許文献１】特開２００５−３６５８８号公報
【発明の概要】
【発明が解決しようとする課題】
【０００５】
ところで、レンガは、粘土に砂、石灰等を混ぜて練り、長方体状に成型して乾燥した後、窯で焼くことにより製造されるため、常温曲げ強度は高いが、その反面、応力集中の感度が高くなり、破壊靱性が低下してクラックが発生しやすいという性質がある。このため、建物の外壁に用いた場合、レンガ表面のクラックによって外壁の見栄えが損なわれるという問題点があった。
【０００６】
本発明は前記問題点に鑑みてなされたものであり、その目的とするところは、レンガ製であっても表面におけるクラックの発生または拡大を抑制することのできるブロックを提供することにある。
【課題を解決するための手段】
【０００７】
本発明は前記目的を達成するために、ブロック本体がレンガによって形成されたブロックにおいて、前記ブロック本体の表面に複数の溝を格子状に設けている。これにより、ブロック本体の表面に、複数の溝が格子状に設けられていることから、ブロック本体の表面にクラックが発生した場合でも、クラックの成長が溝によって阻止され、またはクラックが溝内を溝に沿って伸びることから、ブロック本体の表面におけるクラックが目立つことはない。
【発明の効果】
【０００８】
本発明によれば、ブロック本体がレンガによって形成されているので、例えばヨーロッパ建築等に用いられるレンガ造りの外壁のように、レンガ独特の色調や質感によって格調高い外観を得ることができ、例えば居住用の建物の外壁として好ましいという利点がある。また、ブロック本体の表面にクラックが発生した場合でも、ブロック本体の表面におけるクラックの発生または拡大を溝によって抑制することができるので、ブロック本体の表面におけるクラックが目立つことがなく、クラックによって外壁の見栄えが損なわれることがないという利点がある。
【図面の簡単な説明】
【０００９】
【図１】本発明の一実施形態をブロックの斜視図
【図２】ブロックの正面図
【図３】ブロックの平面図
【図４】ブロックの要部平面断面図
【図５】クラックの発生状態を示すブロックの要部拡大正面図
【図６】本発明のブロックを外壁に用いた建物の斜視図
【発明を実施するための形態】
【００１０】
図１乃至図６は本発明の一実施形態を示すもので、例えば建物の外壁や塀等の材料として用いられるブロックを示すものである。
【００１１】
本実施形態のブロックは、レンガからなる直方体状のブロック本体１を備え、ブロック本体１は一般的なコンクリートブロックと同様の形状に形成されている。即ち、ブロック本体１は、標準的な周知のコンクリートブロックと同等の大きさ（例えば、幅寸法Ａが３９０ｍｍ、高さ寸法Ｂが１９０ｍｍ）に形成され、コンクリートブロックと同様、鉄筋や配管等を挿通するための複数の孔２を有している。各孔２はブロック本体１の上面及び下面を上下方向に貫通するように形成され、互いにブロック本体１の幅方向に間隔をおいて配列されている。また、ブロック本体１の幅方向両側面には、孔２の幅方向半分の形状を有する切り欠き３がそれぞれ設けられている。
【００１２】
ブロック本体１の前面及び背面には、複数の縦溝４及び複数の横溝５が格子状に設けられ、各縦溝４及び各横溝５はそれぞれ等間隔Ｐ（例えば１０ｍｍ〜２０ｍｍ）で配列されている。この場合、各縦溝４及び各横溝５のうち所定本数（例えば５本）おきに配置される縦溝４′及び横溝５′は他の縦溝４及び横溝５よりも幅寸法及び深さ寸法が大きくなっている。即ち、幅寸法及び深さ寸法の小さい縦溝４及び横溝５は、例えば溝幅Ｗ1 が１ｍｍ〜３ｍｍ、溝深さＤ1 が０．５ｍｍ〜１．５ｍｍに形成され、幅寸法及び深さ寸法の大きい縦溝４′及び横溝５′は、例えば溝幅Ｗ2 が４ｍｍ〜８ｍｍ、溝深さＤ2 が２ｍｍ〜４ｍｍに形成されている。尚、図４ではブロック本体１の要部平面断面図を示したが、溝の断面形状はブロック本体１の側面断面においても同様である。
【００１３】
前記ブロックは、レンガの材料となる粘土に砂、石灰等を混ぜて練り、長方体状に成型して乾燥した後、窯で焼くことにより製造される。この場合、各縦溝４，４′及び各横溝５，５′に対応する突条部が内面に設けられた型を用いることにより、前記成型時に各縦溝４，４′及び各横溝５，５′を形成することができる。
【００１４】
以上のように構成されたブロックを用いて建物の外壁を施工する場合は、複数のブロックを積み重ねるとともに、必要に応じてブロック本体１の孔２及び切り欠き３内に鉄筋や配管を挿通するとともに、コンクリートやモルタルを充填する。これにより、例えば図６に示すように、複数のブロック本体１の前面によって建物にレンガ調の外壁面が形成される。
【００１５】
また、ブロック本体１の前面には、複数の縦溝４，４′及び横溝５，５′が格子状に設けられているので、図５に示すようにブロック本体１の表面にクラックＣが発生した場合でも、クラックＣの成長が縦溝４，４′及び横溝５，５′によって阻止され、またはクラックＣが縦溝４，４′及び横溝５，５′内を溝に沿って伸びることから、ブロック本体１の表面におけるクラックＣが目立つことはない。この場合、乾燥によってブロック本体１の表面に生ずるクラックＣは、主に幅寸法及び深さ寸法の小さい縦溝４及び横溝５によって抑制され、曲げ応力や衝撃によってブロック本体１の内部から生ずるクラックＣは、主に幅寸法及び深さ寸法の大きい縦溝４′及び横溝５′によって抑制される。
【００１６】
このように、本実施形態のブロックによれば、ブロック本体１がレンガによって形成されているので、例えばヨーロッパ建築等に用いられるレンガ造りの外壁のように、レンガ独特の色調や質感によって格調高い外観を得ることができ、例えば居住用の建物の外壁として好ましいという利点がある。
【００１７】
また、ブロック本体１の表面には、複数の縦溝４，４′及び横溝５，５′が格子状に設けられているので、ブロック本体１の表面にクラックＣが発生した場合でも、クラックＣの発生または拡大を縦溝４，４′及び横溝５，５′によって抑制することができ、クラックＣによって外壁の見栄えが損なわれることがないという利点がある。
【００１８】
この場合、各縦溝４及び各横溝５のうち所定本数おきに配置される縦溝４′及び横溝５′は他の縦溝４及び横溝５よりも幅寸法及び深さ寸法が大きくなっているので、乾燥によってブロック本体１の表面に生ずるクラックＣを主に幅寸法及び深さ寸法の小さい縦溝４及び横溝５によって抑制し、曲げ応力や衝撃によってブロック本体１の内部から生ずるクラックＣを主に幅寸法及び深さ寸法の大きい縦溝４′及び横溝５′によって抑制することができるので、クラックＣの発生または拡大をより効果的に抑制することができる。
【００１９】
また、ブロック本体１を他のブロック本体１と積み重ねて建築物等の壁を形成可能な直方体状に形成し、各縦溝４，４′及び各横溝５，５′をブロック本体１の表面のうち外壁面となる面に設けたので、コンクリートブロックと同様に積み重ねることにより、ブロック本体１の表面によってレンガ調の外壁面を形成することができ、建物の壁面や塀に用いる場合に極めて有利である。
【００２０】
更に、ブロック本体１に上下方向に貫通する複数の孔２を設けたので、コンクリートブロックと同様、孔２内に鉄筋を入れて補強したり、孔２内に配管を挿通することができ、実用化に際して極めて有利である。
【００２１】
尚、前記実施形態では、各縦溝４及び各横溝５のうち所定本数おきに配置される縦溝４′及び横溝５′を他の縦溝４及び横溝５よりも幅寸法及び深さ寸法が大きくなるように設けたものを示したが、各縦溝４及び各横溝５のうち所定本数おきに深さ寸法のみが大きい溝を設けるようにしてもよい。
【００２２】
また、前記実施形態では、ブロック本体１の表面に複数の縦溝４，４′及び横溝５，５′を格子状に設けたものを示したが、互いに格子状に直交する複数の溝を斜めに設けるようにしてもよい。
【００２３】
更に、前記実施形態で示した各縦溝４，４′及び各横溝５，５′の幅寸法、深さ寸法、ピッチの数値範囲は一例であり、ブロック本体１の大きさや用途等に応じて前記実施形態の数値範囲以外の寸法にすることも可能である。
【符号の説明】
【００２４】
１…ブロック本体、２…孔、４，４′…縦溝、５，５′…横溝。
【図１】
2014111895.tif 000003
【図２】
2014111895.tif 000004
【図３】
2014111895.tif 000005
【図４】
2014111895.tif 000006
【図５】
2014111895.tif 000007
【図６】
2014111895.tif 000008